(57)【要約】      （修正有）【課題】残り寿命が短い記録媒体に記録されたデータの消失を防ぐ。【解決手段】データライブラリ装置とサーバとを備えるデータアーカイブシステムにおいて、データライブラリ装置は、一以上の記録媒体と、記録媒体が格納される一以上の記録媒体格納部と、記録媒体にデータを記録し、再生時に記録データの読み出し品質を取得する一以上の記録再生部と、記録再生部の制御およびサーバとデータまたは命令の送受信を行うライブラリ制御部と、を備え、サーバは、システムの全体を制御する全体制御部と、記録再生部で取得した読み出し品質に基づいて記録媒体の残り寿命を算出し、管理する寿命管理部と、算出された記録媒体の残り寿命が所定の期間より短い場合、該短寿命記録媒体に記録されたデータを複製する先の複製先記録媒体を選定し、データを複製する制御を行うデータ複製制御部と、を備え、短寿命媒体よりも残り寿命が長い媒体が複製先として選定される。【選択図】図７
2014132508.tif 000002
【特許請求の範囲】
【請求項１】
一以上のデータライブラリ装置とサーバとを備えるデータアーカイブシステムにおいて、
前記データライブラリ装置は、
一以上の記録媒体と、
前記記録媒体が格納される一以上の記録媒体格納部と、
前記記録媒体にデータを記録または再生し、再生時に前記記録媒体に記録されたデータの読み出し品質を取得する機能を有する一以上の記録再生部と、
前記記録再生部の制御および前記サーバとデータまたは命令の送受信を行うライブラリ制御部と、
を備え、
前記サーバは、
前記データアーカイブシステムの全体を制御する全体制御部と、
前記記録再生部で取得した読み出し品質に基づいて前記記録媒体の残り寿命を算出し、管理する寿命管理部と、
前記寿命管理部で算出された前記記録媒体の残り寿命が所定の期間より短い場合、該短寿命記録媒体に記録されたデータを複製する先の複製先記録媒体を選定し、該複製先記録媒体に該短寿命記録媒体のデータを複製する制御を行うデータ複製制御部と、
を備え、
前記データ複製制御部は、前記短寿命記録媒体よりも残り寿命が長い記録媒体を前記複製先記録媒体として選定することを特徴とするデータアーカイブシステム。
【請求項２】
請求項１に記載のデータアーカイブシステムにおいて、
前記寿命管理部は、記録媒体に記録されているデータ量を管理し、該記録媒体が前記記録媒体に記録されているデータの複製に必要な空き容量を有している場合に、該記録媒体を前記複製先記録媒体として選定することを特徴とするデータアーカイブシステム。
【請求項３】
請求項１または２に記載のデータアーカイブシステムにおいて、
前記データ複製制御部は、前記短寿命記録媒体と同一の記録媒体格納部に格納された記録媒体を前記複製先記録媒体として選定することを特徴とするデータアーカイブシステム。
【請求項４】
請求項１または２に記載のデータアーカイブシステムにおいて、
前記データライブラリ装置が複数の記録媒体格納部を備える場合、
前記データ複製制御部は、前記短寿命記録媒体とは異なる記録媒体格納部に格納された記録媒体を前記複製先記録媒体として選定することを特徴とするデータアーカイブ装置。
【請求項５】
請求項１または２に記載のデータアーカイブシステムにおいて、
前記データアーカイブシステムが複数のデータライブラリ装置を備える場合、
前記データ複製制御部は、前記短寿命記録媒体とは異なるデータライブラリ装置が備える記録媒体格納部に格納された記録媒体を前記複製先記録媒体として選定することを特徴とするデータアーカイブ装置。
【請求項６】
請求項１乃至５のいずれか１つに記載のデータアーカイブシステムにおいて、
前記寿命管理部は、算出した記録媒体の寿命毎に、前記記録媒体に記録されたデータの容量を算出すること、
を特徴とするデータアーカイブシステム。
【請求項７】
請求項１乃至６いずれか１つに記載のデータアーカイブシステムにおいて、
前記データ複製制御部は、複製先として選定した記録媒体格納部に格納された記録媒体をデータの複製先として確保すること、
を特徴とするデータアーカイブシステム。
【請求項８】
請求項１乃至７いずれか１つに記載のデータアーカイブシステムにおいて、
前記記録媒体格納部に新規記録媒体を格納するための空き領域を設けておくこと、
を特徴とするデータアーカイブシステム。
【請求項９】
請求項１乃至８いずれか１つに記載のデータアーカイブシステムにおいて、
前記全体制御部は、前記記録媒体格納部に格納されている不要となった前記記録媒体を、前記記録媒体格納部の所定の場所に配置すること、
を特徴とするデータアーカイブシステム。
【請求項１０】
請求項１乃至９のいずれか１つに記載のデータアーカイブシステムにおいて、
前記記録再生部は、前記記録媒体にデータを暗号化して記録し、
前記全体制御部は、前記記録媒体に記録したデータの要否を判定し、
前記記録媒体に記録したデータが不要の場合は、前記暗号化の暗号鍵を削除すること、
を特徴とするデータアーカイブシステム。
【請求項１１】
請求項１乃至１０いずれか１つに記載のデータアーカイブシステムにおいて、
前記全体制御部は、前記記録媒体に記録したデータの要否を判定し、
前記記録媒体に記録したデータが不要の場合は、前記記録再生部は、該記録媒体に記録したデータを復元不可にすること、
を特徴とするデータアーカイブシステム。
【請求項１２】
サーバとデータライブラリ装置を備えたデータアーカイブシステムにおいて、
前記データライブラリ装置は、
一または複数の記録媒体と、
前記記録媒体が一または複数格納される記録媒体格納部と、
前記記録媒体にデータを記録および再生し、再生時に前記記録媒体に記録されたデータの読み出し品質を取得する機能を備える一または複数の記録再生部と、
前記記録媒体格納部と前記記録再生部との間で前記記録媒体を運搬して受け渡しを行う記録媒体運搬部と、
前記記録媒体運搬部と前記記録再生部の制御及び前記サーバとデータ及びまたは命令の送受信を行うライブラリ制御部と、
を備え、
前記サーバは、
前記データアーカイブシステムの全体を制御する全体制御部と、
データを記録する情報記録媒体と、
前記データライブラリ装置とデータ及びまたは命令の送受信を行うデータライブラリインタフェース部と、
前記読み出し品質から前記記録媒体の寿命を算出する寿命管理部と、
前記記録媒体に記録されたデータを複製する先の記録媒体を選定し、前記複製先の記録媒体に前記記録媒体のデータを複製する制御を行うデータ複製制御部と、
を備え、
前記データ複製制御部は、データの複製先として
複製元記録媒体と同じ記録媒体格納部に格納された記録媒体を選定対象にすること、
を特徴とするデータアーカイブシステム。
【請求項１３】
一以上のデータライブラリ装置とサーバとを備えるデータアーカイブシステムにおいて、記録媒体に記録されたデータを複製するデータ複製処理方法であって、
前記記録媒体の読み出し品質を取得するステップと、
前記取得された前記読み出し品質に基づいて、前記記録媒体の残り寿命を算出するステップと、
前記算出された残り寿命が所定の期間より短い場合、該短寿命記録媒体に記録されたデータを複製する先の複製先記録媒体を選定するステップと、
選定された前記複製先記録媒体に、前記短寿命記録媒体に記録されたデータを記録するステップと、
を有し、
前記複製先記録媒体は、前記短寿命記録媒体よりも残り寿命が長いことを特徴とするデータ複製処理方法。
【請求項１４】
請求項１３に記載のデータ複製処理方法であって、
前記記録媒体の空き容量を判定するステップを有し、
前記記録媒体が前記短寿命記録媒体に記録されているデータの複製に必要な空き容量を有している場合に、該記録媒体を前記複製先記録媒体として選定することを特徴とするデータ複製処理方法。
【発明の詳細な説明】
【技術分野】
【０００１】
本発明は、データアーカイブシステムおよびデータ複製処理方法に関するものである。
【背景技術】
【０００２】
本技術分野の背景技術として、特開２００２−３２２７１号公報がある。特許文献１には、接続された外部記憶装置の記憶媒体の寿命を正確に判断して適切な対応をとることができる情報処理装置を提供することとして、「所定のインターフェイスを介して外部記憶装置が接続可能な情報処理装置において、前記外部記憶装置の記憶媒体の寿命が尽きたかを判断する寿命判断手段と、その寿命判断手段により、前記外部記憶装置の記憶媒体の寿命が尽きたと判断された場合には、その旨の通知を行う通知手段とを備えたことを特徴とする」が記載されている。
【先行技術文献】
【特許文献】
【０００３】
【特許文献１】特開２００２−３２２７１号公報
【発明の概要】
【発明が解決しようとする課題】
【０００４】
特許文献１では、記録手段の寿命が尽きたことを判定し、通知を行うことが目的であり、寿命が尽きる記録媒体に記録されたデータを保護する点が考慮されていない。
【課題を解決するための手段】
【０００５】
上記課題を解決するために、例えば特許請求の範囲に記載の構成を採用する。
【発明の効果】
【０００６】
本発明によれば、記録媒体の寿命が尽きる前にその記録媒体に記録されたデータを別の記録媒体に複製するため、データの消失を防ぐ事が可能である。
【０００７】
上記した以外の課題、構成及び効果は、以下の実施形態の説明により明らかにされる。
【図面の簡単な説明】
【０００８】
【図１】データライブラリ装置の構成を示すブロック図である。
【図２】データ記録再生部の構成を示すブロック図である。
【図３】データ記録再生部の動作を示すフローチャートである。
【図４】光ディスク運搬部のブロック図である。
【図５】光ディスク運搬部の外観図である。
【図６】光ディスク運搬部の動作を示すフローチャートである。
【図７】データアーカイブシステムの構成を示すブロック図である。
【図８】データアーカイブシステムの記録再生動作を示すフローチャートである。
【図９】光ディスクの経年による品質劣化を示す図である。
【図１０】データアーカイブシステムのデータ複製動作を示すフローチャートである。
【図１１】寿命となる光ディスクに記録されているデータ量を示す図である。
【図１２】光ディスク格納部のディスクの状態を示す図である。
【図１３】データ寿命を考慮した、複製に必要なデータ量を示す図である。
【図１４】廃棄ディスクを交換することで追加可能なデータ量を示す図である。
【図１５】記録速度と光ディスクの経年による品質劣化の関係を示す図である。
【図１６】残データ寿命によって、記録速度を変更することを示す図である。
【図１７】光ディスク格納部のディスクの配置を示す図である。
【図１８】廃棄ディスクを排出する方法を示す図である。
【発明を実施するための形態】
【０００９】
以下、図面を用いて実施例を説明する。
【実施例１】
【００１０】
図１はデータライブラリ装置の構成を示すブロック図である。
【００１１】
１０１はデータライブラリ装置であり、記録時には、データをネットワーク１０４から受け取り、サーバ１０３を介してハードディスク１０５に蓄積し、蓄積したデータを光ディスク１０９に記録する。再生時には、ハードディスク１０５または光ディスク１０９からデータを再生し、サーバ１０３を介してネットワーク１０４に送る。１０３はサーバであり、データライブラリ装置１０１の内蔵するＣＰＵ（Ｃｅｎｔｒａｌ  Ｐｒｏｃｅｓｓｉｎｇ  Ｕｎｉｔ）１０２との通信によってデータライブラリ装置を制御するとともに、ハードディスク１０５を制御し、データの記録再生やネットワーク１０４を介したデータ送受信等のデータ管理を行う。
【００１２】
１０５はハードディスクであり、サーバ１０３に制御されてネットワーク１０４から送られたデータを蓄える。図１ではハードディスク１０５をサーバ１０３の外側に図示したが、サーバ１０３内に含まれる構成でも良い。
【００１３】
１０９は光ディスクであり、光ディスク１０９は光ディスク格納部１０８の内部に複数枚格納されている。図１では光ディスク格納部１０８は１つしか図示しないが、複数内蔵してもよく、例えば一方は未記録ディスク格納部、他方は記録済ディスク格納部など、用途に応じて使い分けても構わない。もちろん、光ディスク格納部１０８の内部を未記録ディスク格納領域と記録済ディスク格納領域とに区切っても構わない。領域を使い分けることで、記録ディスク枚数あるいは未記録ディスク枚数の把握が容易となる。
【００１４】
光ディスク１０９は、データ記録時、光ディスク運搬部１０７によって光ディスク格納部１０８から取り出され、データ記録再生部１１０、１１１、１１２、１１３のいずれかに装填され、データ記録が終了すると、光ディスク運搬部１０７によって光ディスク格納部１０８へと戻される。一方、データ再生時、光ディスク１０９は光ディスク運搬部１０７によって光ディスク格納部１０８から取り出され、データ記録再生部１１０、１１１、１１２、１１３のいずれかに装填され、データを再生し、データ再生が終了すると、光ディスク運搬部１０７によって光ディスク格納部１０８へと戻される。
【００１５】
１１０、１１１、１１２、１１３はデータ記録再生部であり、データライブラリ装置のＣＰＵ１０２に制御されて、光ディスク１０９へのデータ記録または光ディスク１０９からのデータ再生を行う。また、再生時にはデータ記録再生部１１０、１１１、１１２、１１３は光ディスク１０９に記録されたデータを読み出す際に、読み出し品質が取得可能で、ＣＰＵ１０２経由でサーバ１０３に送信することが可能である。
【００１６】
読み出し品質とは、読み出す際にどれだけのエラー訂正処理が行われたかなど、記録済みデータの品質を示す情報である。読み出し品質を取得するタイミングとしては、サーバ１０３のＣＰＵ７０１からの指示で実施しても良いし、データライブラリ装置１０１のＣＰＵ１０２が定期的に実施しても良い。または、ユーザからデータの再生要求を受信したタイミングで実施しても良い。
【００１７】
１０７は光ディスク運搬部であり、データライブラリ装置１０１のＣＰＵ１０２に制御されて、光ディスク１０９を光ディスク格納部１０８から取り出し、運搬し、データ記録再生部１１０、１１１、１１２、１１３に装填する。あるいは、光ディスク１０９をデータ記録再生部１１０、１１１、１１２、１１３から受け取り、運搬し、光ディスク格納部１０８へと格納する。また、例えばデータ記録再生部１１０からデータ記録再生部１１１へとデータ記録再生部間で光ディスクを運搬してもよいし、光ディスク格納部１０８内部で光ディスク１０９を搬送しても良い。また、データライブラリ装置１０１が光ディスク格納部１０８を複数内蔵する場合、光ディスク運搬部１０７は、内蔵する光ディスク格納部から別の内蔵する光ディスク格納部へ光ディスクを運搬してもよい。
【００１８】
１０２はデータライブラリ装置１０１のＣＰＵであり、サーバ１０３からの要求により、光ディスク運搬部１０７を制御して、光ディスク格納部１０８に格納された複数枚の光ディスク１０９の中から所望の光ディスクを選択し、データ記録再生部１１０、１１１、１１２、１１３に送る。また、光ディスク運搬部１０７を制御してデータ記録再生部１１０、１１１、１１２、１１３から光ディスク１０９を受け取り、光ディスク格納部１０８内の所定の位置に光ディスクを格納する。１０６はメモリであり、データライブラリ装置のＣＰＵ１０２を制御するためのプログラムや各種の設定情報が記録されている。
【００１９】
図２はデータ記録再生部の構成を示すブロック図である。
【００２０】
１１０はデータ記録再生部であり、ライブラリ装置のＣＰＵ１０２から入力したデータを光ディスクに記録する。また、光ディスクから再生したデータをライブラリ装置のＣＰＵ１０２に出力する。
【００２１】
２０７はＣＰＵであり、データ記録再生部１１０の記録処理、再生処理の制御を行う。なお、ＣＰＵでなくとも、同様の制御が可能な任意の回路を用いてもよい。２０１はデータ記録媒体、例えばＢＤ（Ｂｌｕ−ｒａｙ  Ｄｉｓｃ）である。また、データ記録媒体は、必ずしも光ディスクに限定されるものではなく、光磁気ディスクやホログラム等の記録媒体であってもよい。これら記録媒体においても同様の効果が考えられる。
【００２２】
２０２は光ピックアップであり、光ディスク２０１から信号を読み出して増幅回路２０３に送る。また、信号処理回路２０４から送られた変調信号を光ディスク２０１に記録する。２０３は増幅回路であり、光ピックアップ２０２を介して光ディスク２０１から読み出した再生信号を増幅して信号処理回路２０４に送る。また、サーボ信号を生成してサーボ回路２０６に送る。
【００２３】
２０４は信号処理回路であり、入力信号を復調し、誤り訂正等を行ったデータをインタフェース回路２０５に送る。また、インタフェース回路２０５から送られたデータに誤り訂正符号を付加する等を行い、変調して光ピックアップ２０２に送る。２０５はインタフェース回路であり、例えばＳＡＴＡ（Ｓｅｒｉａｌ Ａｄｖａｎｃｅｄ  Ｔｅｃｈｎｏｌｏｇｙ  Ａｔｔａｃｈｍｅｎｔ）あるいは、その他の転送方式に準拠したデータ転送処理を行う。データ転送時には、信号処理回路２０４から送られたデータをホストであるライブラリ装置のＣＰＵに送る。また、ホストであるライブラリ装置のＣＰＵから送られたデータを信号処理回路２０４に送る。
【００２４】
２０８はメモリであり、データ記録再生部を制御するためのプログラムや各種設定情報、光ディスクから取得した媒体情報等を格納する。なお、メモリ２０８はデータ記録再生部内でＣＰＵ２０７と接続する例を示したが、データ記録再生部内外のどこに接続されていてもよい。また、情報を保持できればメモリでなくてもよく、例えばハードディスクでもよい。２０６はサーボ回路であり、増幅回路２０３にて生成されたサーボ信号により光ピックアップ２０２を制御する。
【００２５】
上記構成のデータ記録再生部によって、データライブラリ装置１０１のＣＰＵ１０２からの指示に従って光ディスクへのデータを記録し、また、光ディスクからデータを再生してデータライブラリ装置１０１のＣＰＵ１０２に渡すことができる。なお、ここではデータ記録再生部１１０について説明したが、データ記録再生部１１１、１１２、１１３も同様の構成である。
【００２６】
図３はデータ記録再生部の動作を示すフローチャートである。
【００２７】
ステップＳ３０１においてデータ記録再生部に光ディスクが装着されると、ステップＳ３０２においてセットアップ処理を行う。
【００２８】
次にステップＳ３０３において、データライブラリ装置のＣＰＵからデータ再生が要求されていたならば、ステップＳ３０４においてデータ再生処理を行う。あるいはステップＳ３０５において、データライブラリ装置のＣＰＵからデータ記録が要求されていたならば、ステップＳ３０６においてデータ記録処理を行う。ステップＳ３０７において再生または記録処理が完了していた場合は、処理を終了する。
【００２９】
図４は光ディスク運搬部のブロック図、図５は光ディスク運搬部の外観図である。
【００３０】
１０７は光ディスク運搬部であり、データライブラリ装置１０１のＣＰＵ１０２からの指示を受けて光ディスク１０９を光ディスク格納部１０８から取り出してデータ記録再生部１１０、１１１、１１２、１１３に装填する。また、光ディスクをデータ記録再生部から取り出して光ディスク格納部に格納する。
【００３１】
４０１はＣＰＵであり、光ディスク運搬部の制御を行う。４０２はメモリであり、光ディスク運搬部を制御するためのプログラムや各種設定情報等を格納する。なお、メモリ４０２は光ディスク運搬部内でＣＰＵ４０１と接続する例を示したが、光ディスク運搬部内外のどこに接続されていてもよい。また、情報を保持できればメモリでなくてもよく、例えばハードディスクでもよい。
【００３２】
４０３はセンサ制御回路であり、ＣＰＵ４０１からの指示に基づいて各種センサを制御する。また、各種センサからの入力信号を受け、ＣＰＵ４０１に通知する。
【００３３】
４０４はモータ制御回路であり、ＣＰＵ４０１からの指示に基づいて４０５、４０６、４０７のロボットアーム部を駆動する。また、ロボットハンド部４０８を駆動する。
【００３４】
ロボットアーム部４０５、４０６、４０７は前進や後進といった直進運動と回転運動により、ロボットハンド部４０８の位置を調整する。
【００３５】
ロボットハンド部４０８は光ディスク１０９を破損することなく保持可能な形状から成り、光ディスク格納部１０８及びデータ記録再生部１１０、１１１、１１２、１１３に対して光ディスクの出し入れや受け渡しを行う。
【００３６】
上記構成の光ディスク運搬部によって、データライブラリ装置１０１のＣＰＵ１０２からの指示に従って、データ記録再生部とデータ記録再生部との間で光ディスクを運搬することができる。
【００３７】
なお、ここでは光ディスク運搬部がデータライブラリ装置内に１つ存在する例を示したが、複数の光ディスク運搬部が存在しても構わない。また、光ディスク運搬部の形状は図５の例に限らず、例えば、光ディスクの中心穴を利用して光ディスクを固定し、運搬するようにしても構わない。
【００３８】
図６は光ディスク運搬部の動作を示すフローチャートである。
【００３９】
ステップＳ６０１では、光ディスク運搬部を動作開始するためのセットアップ処理を行う。
【００４０】
次にステップＳ６０２においてホストから光ディスクの運搬元がデータ記録再生部であると指定されていたならば、ステップＳ６０３においてデータ記録再生部１１０、１１１、１１２、１１３のいずれが指定されたかの情報を取得する。
【００４１】
次にステップＳ６０４において光ディスク格納部内のどのアドレスに光ディスクを運搬し、格納するかの情報を取得し、ステップＳ６０５において指定運搬元であるデータ記録再生部から光ディスクを受け取り、受け取った光ディスクを指定運搬先である光ディスク格納部の所定アドレスまで運搬し、格納する。
【００４２】
あるいはステップＳ６０６においてホストから光ディスクの運搬元が光ディスク格納部であると指定されていたならば、ステップＳ６０７において光ディスク格納部内のどのアドレスに光ディスクを運搬し、格納するかの情報を取得する。
【００４３】
次にステップＳ６０８においてデータ記録再生部１１０、１１１、１１２、１１３のいずれに対して光ディスクを運搬し、受け渡すかの情報を取得し、ステップＳ６０９において指定運搬元である光ディスク格納部の所定アドレスから光ディスクを取得し、取得した光ディスクを指定運搬先であるデータ記録再生部まで運搬し、装填する。
【００４４】
ステップＳ６１０において運搬処理が完了していた場合は、処理を終了する。
【００４５】
図７はデータアーカイブシステムの構成を示すブロック図である。
【００４６】
データアーカイブシステムは、サーバ１０３に、１つ以上のデータライブラリ装置１０１、７０８、７０９と、ハードディスク１０５と、ネットワーク１０４とが接続されて構成される。なお、データライブラリ装置７０８、７０９はデータライブラリ装置１０１と同様の構成であり、説明は省略する。また、図７では３台のデータライブラリ装置を接続しているが、３台に限られるものではない。また、本実施例ではサーバ１０３はデータライブラリ装置１０１に対する動作を説明するが、データライブラリ装置７０８又はデータライブラリ装置７０９に対しても同様の動作を実施する。
【００４７】
１０３はサーバであり、データライブラリ装置１０１に対してデータの記録再生を中心としたサービスを提供するとともに、ハードディスク１０５に対するデータの記録と再生、ネットワーク１０４を介したデータの送受信や管理を行う。
【００４８】
７０１はサーバ１０３のＣＰＵであり、データ記録時には、ネットワーク１０４からネットワーク制御部７０５を介して受信したデータをハードディスクＩ／Ｆ部７０４を介してハードディスク１０５に記録する。あるいは、データライブラリＩ／Ｆ部７０３を介してデータライブラリ装置１０１を制御し、データライブラリ装置１０１が内蔵する光ディスクに記録する。
【００４９】
データ再生時には、ハードディスクＩ／Ｆ部７０４を介してハードディスク１０５からデータを読み出し、読み出したデータをネットワーク制御部７０５を介してネットワーク１０４に送信する。
【００５０】
あるいは、データライブラリＩ／Ｆ部７０３を介してデータライブラリ装置１０１を制御し、データライブラリ装置１０１が内蔵する光ディスクからデータを再生し、再生したデータを受け取り、受け取ったデータをネットワーク制御部７０５を介してネットワーク１０４に送信する。
【００５１】
７０２はメモリであり、サーバ１０３のＣＰＵ７０１を制御するためのプログラム、各種の情報が記録されている。
【００５２】
７０３はデータライブラリＩ／Ｆ部であり、データライブラリ装置１０１とサーバ１０３のＣＰＵ７０１との間でのデータ送受信に関する制御を行う。
【００５３】
なお、図では１つのデータライブラリＩ／Ｆ部に複数のデータライブラリ装置が接続されているが、例えば、ネットワークを介して複数のデータライブラリ装置が接続されるような構成でもよい。
【００５４】
７０４はハードディスクＩ／Ｆ部であり、ハードディスク１０５とＳＡＴＡなどの規格に準拠したデータ転送を行う。
【００５５】
７０５はネットワーク制御部であり、ネットワーク１０４とサーバ１０３のＣＰＵ７０１との間でのデータ送受信に関する制御を行う。
【００５６】
７０６は寿命管理部であり、ライブラリ装置１０１から取得した読み出し品質をもとに、光ディスク１０９の寿命を予測する。予測する方法については後述する。
【００５７】
７０７はデータ複製制御部であり、ＣＰＵ７０１よりデータの複製要求を受信すると、データ複製制御部７０７は、その光ディスクに記録されたデータをどこに複製するかを選定し、ＣＰＵ７０１に通知する。そして、ＣＰＵ７０１に複製処理の要求を出す。データ複製制御部７０７の詳細説明は後述する。
【００５８】
図８はデータアーカイブシステムの動作を示すフローチャートである。
【００５９】
ステップＳ８０１においてネットワーク１０４を介してサーバ１０３に再生要求があった場合、サーバ１０３のＣＰＵ７０１は、ステップＳ８０２において再生要求されたデータの格納先を調査する。要求データがハードディスク１０５内であれば、サーバ１０３のＣＰＵ７０１は、ステップＳ８０３においてハードディスク１０５からデータ再生処理を行う。再生されたデータはサーバ１０３のＣＰＵ７０１からネットワーク制御部７０５を介してネットワーク１０４に送信する。そして、ステップＳ８０４で、再生処理を完了する。
【００６０】
あるいは要求データがハードディスク１０５にないならば、サーバ１０３のＣＰＵ７０１は、ステップＳ８０５において要求されたデータが記録されている光ディスクを特定する。
【００６１】
次に、ステップＳ８０６で再生手段判定処理を行う。再生手段判定処理とは、光ディスクを再生するために、どのデータライブラリ装置の、どのデータ記録再生部を使用するかを判定する処理である。この判定処理は、サーバ１０３のメモリ７０２に記録されたプログラムが行い、どの装置を利用するかの判定は同じくメモリ７０２に記録された判定アルゴリズムによって行う。
【００６２】
再生手段判定処理によって再生に使用するデータライブラリ装置と使用するデータ記録再生部を決定したならば、次にステップＳ８０７において、ステップＳ８０６で決定したデータライブラリ装置に対して、使用するデータ記録再生部と再生すべき光ディスクを伝え、データ再生を要求する。再生したデータは随時データライブラリ装置からデータライブラリＩ／Ｆ部７０３を介してサーバ１０３のＣＰＵ７０１に送られ、ネットワーク制御部７０５を介してネットワーク１０４に送信する。
【００６３】
次にステップＳ８０８において処理が完了したならば、処理を終了する。
【００６４】
また、サーバ１０３のＣＰＵ７０１は、再生処理の制御だけでなく、記録処理の制御も行う。ここでは、記録処理の開始トリガが、ステップＳ８０９においてサーバ１０３のＣＰＵ７０１の判断によるものである場合について詳しく説明する。
【００６５】
ステップＳ８０９においてサーバ１０３のＣＰＵ７０１は、ハードディスク１０５に記録されているデータのうち、光ディスクに記録すべきデータがあるかを調査する。
【００６６】
光ディスクに記録すべきデータとは、言い換えるならばハードディスク１０５から光ディスクへと移動すべき、または移動しても支障のないデータである。
【００６７】
どのデータを光ディスクに記録すべきかの判定は、サーバ１０３のメモリ７０２に記録されたプログラムが行い、どのデータを光ディスクに記録すべきかの判定は同じくメモリ７０２に記録された判定アルゴリズムによって行う。判定に際しては、一例として一定期間以上、再生要求のないデータであること、などの基準を用いればよい。
【００６８】
記録すべきデータがあった場合、ステップＳ８１０において記録手段判定処理を行う。記録手段判定処理とは、データを光ディスクに記録するために、どのデータライブラリ装置の、どのデータ記録再生部と、どの光ディスクを使用するかを判定する処理である。この判定処理は、サーバ１０３のメモリ７０２に記録されたプログラムが行い、どの装置を利用するかの判定は同じくメモリ７０２に記録された判定アルゴリズムによって行う。
【００６９】
記録手段判定処理によって記録に使用するデータライブラリ装置と使用するデータ記録再生部と使用する光ディスクを決定したならば、次にステップＳ８１１において、ステップＳ８１０で決定したデータライブラリ装置に対して、使用するデータ記録再生部と使用すべき光ディスクを伝え、また、記録すべきデータを受け渡し、データ記録を要求する。
【００７０】
次にステップＳ８１２において処理したかどうかを判定する。
【００７１】
以上の構成により、本実施例のデータアーカイブシステムではネットワークからの再生要求を受けてハードディスクからデータを再生することができる。
【００７２】
ここで、寿命管理部７０６が寿命を予測する方法について説明する。例えば、光ディスクの場合、データ記録再生部１１０、１１１、１１２、１１３から取得可能な読み出し品質の一つとしてＳＥＲ（Ｓｙｍｂｏｌ  Ｅｒｒｏｒ  Ｒａｔｅ）があり、一般的に図９に示すような特性がある。横軸が経年、縦軸がＳＥＲを示しており、データを記録してから時間が経つに連れて、ＳＥＲ値が大きくなる（以下、この特性曲線をＳＥＲ曲線と記す）。ＳＥＲ値がある一定値を超えることで、この光ディスクの寿命が近いと予測可能である。よって、寿命管理部７０６がＳＥＲの経年変化特性を保持しておくことで、現時点のＳＥＲ値を取得することにより、この光ディスクの寿命が予測可能である。
【００７３】
もちろん、前述した寿命算出方法は一例に過ぎず、上記に限られるものではない。別の読み出し品質情報や判定手段により寿命を予測しても良い。例えば、データ再生時のエラー訂正回数を確認し、そこから読み出し品質を判定して、寿命の判断も可能である。寿命を予測するタイミングとしては、ＣＰＵ７０１からの指示のもと、定期的に実施しても良いし、新たな読み出し品質を受信したタイミングで実施しても良い。あるいは、過去に予測した寿命から、次回寿命を予測する日程を決定しても良い。
【００７４】
そして、寿命管理部７０６は、残り寿命が短い光ディスクを検知するとＣＰＵ７０１にその旨を通知する。
【００７５】
次にデータ複製制御部７０７の、残り寿命が短い光ディスク（以下、複製元ディスク）に記録されているデータを複製するための詳細動作の説明をする。データ複製制御部７０７は、データの複製先として、複製元光ディスクよりも寿命が長い光ディスクを複製先光ディスクとして選定する。これにより、複製元ディスクに記録されたデータをより長期間保存可能となる。そして、複製先光ディスクの選定先としては、例えば、複製元光ディスクと同一の光ディスク格納部に格納された別の光ディスクを選択しても良いし、仮にデータライブラリ装置が複数の光ディスク格納部を備える場合、複製元光ディスクと同一データライブラリ装置の異なる光ディスク格納部に格納された光ディスクでも良い。あるいは、サーバが複数のデータライブラリ装置と接続されている場合、複製元光ディスクとは異なるデータライブラリ装置に格納された光ディスクでも良い。
【００７６】
あるいは、データの複製先は光ディスクのような記録媒体ではなく、サーバのハードディスクでも良い。あるいは、データライブラリ装置に直接接続した、外付けハードディスクなど別の記録媒体でも良いし、ネットワークを経由してデータアーカイブシステムと接続している記録媒体でも良い。
【００７７】
複製先の選定方法としては、例えば複製元光ディスクに記録されたデータと別の光ディスクが複数の記憶媒体をまとめて一台の記録媒体として管理する技術であるＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）構成を組んでいる場合、若しくは一つのデータが複数の光ディスクをまたがって記録されている場合など、それらを同じ光ディスク格納部に格納するように、複製先光ディスクを選定しても良い。こうすることで、データを再生する場合に必要な光ディスクが同一光ディスク格納部に集約されており、再生時の効率を向上させる事が出来る。または寿命が近い光ディスクを一つの光ディスク格納部に集約するように、複製先光ディスクを選定しても良い。こうすることで、例えば光ディスクの寿命が近い場合、一括して光ディスクの複製処理が可能となる。あるいは、同一ユーザ、同時期に記録した光ディスクなど様々な条件を元に、複製先光ディスクを選定しても良い。あるいは、複数の光ディスクを同じ光ディスク格納部で管理したい場合に、光ディスク１枚単位で複製先を選定するのではなく、それら全ての光ディスクを複製するだけの容量があることを条件に複製先を選定してもよい。あるいは、複製処理を優先的に実施するデータライブラリ装置を導入しても良い。複製処理専用のデータライブラリ装置を導入することで、このデータライブラリ装置は新規データの記録要求を受信しないため、データの複製処理にかかる時間、使用する光ディスク枚数の予測を立てる事が可能となる。
【００７８】
複製処理としては、データ複製制御部７０７はＣＰＵ７０１にデータの複製要求を出し、ＣＰＵ７０１は、データライブラリＩ／Ｆ部７０３経由でデータライブラリ装置に複製元光ディスクの再生要求を実施し、読み出したデータに対して、複製先の記録媒体にデータを記録するように要求を出す。図１０を用いて光ディスクに記録されたデータを複製する処理を説明する。データ複製制御部７０７は、ステップＳ１００１にて光ディスクの複製要求を受信すると、まずは、ステップＳ１００２にてデータの複製先となる、光ディスク格納部やデータライブラリ装置を選定する。次にステップＳ１００３にて、選定したデータの複製先にデータ複製用の空き領域（例えば空きディスク）が存在するかどうかを確認する。空き領域が無かった場合、ステップＳ１０１０にて、ＣＰＵ７０１がネットワーク制御部７０５を介して、その旨をユーザに通知し、終了する。ステップＳ１００３で空きがあった場合、ステップＳ１００４でデータを複製する先の記録媒体（例えば光ディスク）の選定を行う。次に、データ複製制御部７０７は、ＣＰＵ７０１に複製元ディスク及び、選定した複製先記録媒体について複製要求を出す。具体的には、ステップＳ１００５にてＣＰＵ７０１は複製元ディスクのデータに対して、再生要求を出す。ＣＰＵ７０１は、ステップＳ１００６にて、複製元ディスクの全データの再生が完了したかどうかを判定する。再生が完了していた場合、ステップＳ１００７にて再生データを、データ複製先に選定した記録媒体に対して記録する要求を出す。そして、ステップＳ１００８にてＣＰＵ７０１は、データの記録処理が全て完了したかどうかを判定する。記録が完了していた場合、ステップＳ１００９にてディスクの管理情報の更新を行う。例えば、データ複製元ディスクは既に新しいディスクにデータを複製済みであるため、廃棄可能ディスクとして更新する。
【００７９】
なお、本実施例では、データを全て読み出してから複製処理を実施しているが、一部データを読み出した段階で、データの記録処理を実施しても良く、複製処理を速く完了させることができる。仮に、同一データライブラリ内の光ディスクに複製する場合は、再生したデータをサーバまで転送することなく、データライブラリ装置内部で蓄え、記録処理をさせるように制御しても良い。また、ステップＳ１００３で選定先に空きが無かった場合はステップＳ１０１０にてユーザに通知すると説明したが、再度ステップＳ１００２に遷移し、再度、データの複製先を選定しても良い。
【００８０】
また、複製元光ディスクは寿命管理部７０６で光ディスクの残り寿命が短いと判断されたディスクであるため、光ディスクの劣化がある程度始まっていることが予測される。そのため、ステップＳ１００５では、通常の光ディスクの再生とは異なる、劣化したディスクに対して最適な再生モードで再生するように再生要求を出しても良い。例えば、データ記録再生部１１０、１１１、１１２、１１３の再生時のレーザーパワーを上げる、読み出し精度の高いモードで再生する（例えば低速読み出し）、あるいは再生エラー発生時のリトライ回数の上限を増やすなど、様々な再生モードが考えられる。さらに、再生不可なデータがあった場合に、再生可能なデータだけでも複製し、再生出来なかったデータがあることをユーザに通知するなどしても良い。
【００８１】
以上により、寿命管理部７０６が光ディスク１０９の寿命が短くなった事を検知すると、データ複製制御部７０７は寿命が短くなった光ディスクに記録されたデータを複製する先の記録媒体を選定し、複製先に対応した制御方法でデータの複製処理を実施する。これにより、記録媒体の寿命が来る前に別の記録媒体にデータを複製することで、データの消失を防ぐ事が可能である。
【００８２】
また、ユースケースに合わせて複製先を選定することで、ユーザの利便性を向上させる事が可能である。
【実施例２】
【００８３】
次に、データの複製処理で必要となるデータ量の算出方法及び、廃棄可能なディスクを判定することにより光ディスク格納部に追加可能となるデータ量の算出方法について説明する。
【００８４】
寿命管理部７０６では、上述したように各光ディスクの寿命を予測可能であることから、例えば図１１に示すように、複製処理で必要となるデータ量や追加可能となるデータ量などのこれら情報を縦軸、寿命（時間）を横軸としてまとめることで、今後どれだけのデータ量の複製処理が必要になるかを予測する事が可能である。図１１では、Ｄｉｓｃ１の寿命は３０年、データ量は１００ＧＢであり、Ｄｉｓｃ２、Ｄｉｓｃ３、Ｄｉｓｃ４の寿命は５０年、データ量は５０ＧＢ、Ｄｉｓｃ５の寿命は８０年、データ量は５０ＧＢであることを示している。この結果、３０年後に光ディスクが寿命を迎えるのは、Ｄｉｓｃ１のみであり、その時期に複製処理で必要となるデータ総量は１００ＧＢとなる。同様に、５０年後には、Ｄｉｓｃ２、３、４も寿命となることから、計２５０ＧＢの容量が複製処理で必要となる。こうすることで、今後どれだけの容量が複製処理用に必要となるかを算出する事が可能であり、ユーザに今後の複製処理でどれだけの記録媒体が必要になるかを通知する事ができる。場合によっては事前に準備を促す事が可能である。
【００８５】
もちろん、これらを情報としてユーザに通知しても良いし、ＧＵＩ（Ｇｒａｐｈｉｃａｌ  Ｕｓｅｒ  Ｉｎｔｅｒｆａｃｅ）として表示してもよい。さらに、今後の情報だけではなく、図１２に示すように、現状の各光ディスクの状態として、光ディスクの寿命一覧をユーザに通知しても良い。
【００８６】
さらに、寿命管理部７０６では、ユーザが設定したデータの保管期間（以下、データ寿命とする）を管理しても良い。例えば、光ディスクの寿命が残り３０年であったとしても、データ寿命の残りが１０年の場合、データアーカイブシステムとしては１０年間データを保管すれば良いこととなる。この場合、光ディスクの寿命よりも先にデータ寿命が来るため、光ディスクの寿命が来たときに、データを複製する必要はない。よって、図１１に示す寿命となるデータ総量から、このデータ寿命が先にくるデータ量を削減し、図１３のように示しても良い。これにより、不要な複製処理にかかるデータ量を省いて、今後の複製処理で必要となるデータ容量を示す事が可能となる。
【００８７】
さらに、寿命管理部７０６では、データの複製処理が完了した複製元光ディスク及び、データ寿命を迎えた光ディスク、あるいは、記録ミスなどにより使用不可の光ディスク（以下、これら光ディスクを廃棄ディスクとする）のデータ量を算出することで、廃棄ディスクの総データ量を算出することが可能である。これにより、図１４に示すように、廃棄ディスクを新規光ディスクに差し替えることで追加可能となる容量が算出可能である。これにより、ユーザに不要なディスクを排出することで追加可能となる容量を示す事が可能となる。
【００８８】
また、これら複製処理で必要となるデータ容量を算出することで、データ複製制御部７０７は、選定した複製先記録媒体に複製するための空き容量があるかどうかを判断し、ユーザに通知することが可能である。さらに、現時点だけではなく、時間の経過とともに、どれだけのデータ容量が必要になるかも通知する事が可能である。
【００８９】
なお、本実施例では複製に必要な量及び追加可能な量をデータの容量として表したが、容量ではなく光ディスクの枚数で示しても良い。また、量を示す対象を光ディスク格納部単位で実施しても良いし、データライブラリ装置単位で実施しても良い。さらには、データアーカイブシステム単位で実施しても良い。
【００９０】
また、データ量の算出を実行するタイミングとしては、定期的に実施しても良いし、寿命管理部７０６が新規に光ディスクの寿命を予測した段階で更新しても良い。ユーザに通知するタイミングとしては、ユーザがネットワーク経由でこれら情報を要求したタイミングで通知しても良いし、寿命管理部７０６が情報を更新したタイミングで、ＣＰＵ７０１がネットワーク制御部７０５を介して、ユーザに通知しても良い。
【実施例３】
【００９１】
次に、データの複製制御の動作として、複製先の記録媒体を事前に確保しておくことについて説明する。
【００９２】
データ複製制御部７０７は、光ディスクの複製先が予め決まっている場合に、その旨をＣＰＵ７０１に通知し、通常の記録処理では、それら複製先候補である光ディスクを使用不可にしても良い。具体的には、サーバ１０３では、記録処理で使用する光ディスクの選択をメモリ７０２に記録された判定アルゴリズムによって行うため、この判定処理に、データ複製先として予約済みの光ディスクは選定対象から除外するようにしても良い。これにより、他の記録処理でその複製先光ディスクを使用する事を防ぐ事ができ、複製処理を実施する場合に、所望の光ディスクに対して複製処理を実施する事が可能である。
【実施例４】
【００９３】
次に、データの複製制御の動作として、データ寿命の長短に応じてデータ記録再生部の記録速度を変えて複製処理を実施することについて説明する。
【００９４】
まず、光ディスクドライブでは、一般的に記録速度を下げた方が品質のよい光ディスクが生成できるという特性がある。図１５に一例を示す。１５０１は４倍速で記録した光ディスクのＳＥＲ曲線を示しており、予測寿命は３０年である。それに対し、１５０２は２倍速で記録した光ディスクのＳＥＲ曲線を示しており、予測寿命は５０年となっている。
【００９５】
図１６を用いて説明する。図１６の１６０１は複製前のディスクのＳＥＲ曲線を示し、１６０２は複製後のディスクのＳＥＲ曲線を示し、１６０３はデータの複製処理を実施したタイミングを示している。図１６の（Ａ）に示すように、データの複製処理を実施するタイミングで残りのデータ寿命が短い場合は、記録速度を高速にする。速度を変えることで記録処理時間の短縮となる。光ディスクの寿命としては短くとも、そのデータのデータ寿命よりもディスクの寿命が長ければ、十分に要件を満たせる。逆に、図１６の（Ｂ）のようにデータの複製処理を実施するタイミングで残りのデータ寿命が長い場合は、記録速度を低速にする。記録処理時間はかかってしまうが、品質の良いディスクが作成可能であり、今後のデータの複製処理回数を削減する事が可能である。
【００９６】
よって、データ寿命に応じて記録速度を変えることで、記録性能の向上あるいは複製処理を削減し光ディスクの浪費を削減可能である。
【００９７】
もちろん、図１６の（Ｃ）に示すように、データを複製するタイミングになったとしても、既にデータ寿命が尽きていた場合には複製処理を実施しない。これにより不要な複製処理を削減し、光ディスクの浪費が削減可能である。
【実施例５】
【００９８】
次に、光ディスク格納部に格納する記録媒体の数量について説明する。
【００９９】
記録媒体によっては、例えばホログラフィックメモリのように未使用のままだと記録媒体の品質の劣化が速いものがある。よって、光ディスク格納部１０８の全ての領域に最初から光ディスクを充填するのではなく、一部領域を空き領域とし、光ディスクが必要となるタイミングで追加しても良い。例えば、寿命管理部７０６が、ある光ディスクの寿命が短くなっていることを検知すると、ＣＰＵ７０１がネットワーク制御部７０５を介して、その旨をユーザに通知する。あるいはＧＵＩに表示しても良い。ユーザが複製先の光ディスク格納部に新規光ディスクの追加を完了したことを検知すると、データ複製制御部７０７が、追加された光ディスクに対して複製処理を実施する。
【０１００】
こうすることで、記録媒体が未使用のまま経年劣化することを防ぐ事が可能となる。もちろん、記録媒体の通常の経年劣化ではなく、突発的な劣化対策として、予備の記録媒体を予め光ディスク格納部に格納しておいても良い。
【０１０１】
逆に、例えばＢＤのように未使用のままでも劣化をほとんどしない記録媒体の場合は、最初から光ディスク格納部の全ての格納領域に格納しておいても良い。これにより、後に記録媒体を追加する作業の軽減が可能である。
【０１０２】
もちろん、データの複製処理の場合だけではなく、普段の記録処理においても、空きディスクが少なくなっている場合に、新規光ディスクを追加する旨をユーザに通知しても良い。
【実施例６】
【０１０３】
次に、光ディスク格納部単位での複製処理について説明する。
【０１０４】
寿命管理部７０６が光ディスク格納部１０８に格納された光ディスクの内、ある一定以上の光ディスクの寿命が短くなっている事を検知すると、光ディスク格納部単位で複製処理を実施しても良い。例えば、複製処理を実施するデータライブラリ装置に未使用の光ディスクを搭載した光ディスク格納部を追加で搭載し、複製予定の光ディスクを順に、追加した未使用光ディスクに対して複製処理を実施する。
【０１０５】
これにより、光ディスク格納部が管理しているデータ構成を変えることなく、複製処理が可能である。
【実施例７】
【０１０６】
次に、廃棄ディスクを光ディスク格納部で格納する場所について説明する。
【０１０７】
サーバのＣＰＵ７０１は、図１７に示すように、廃棄ディスクを光ディスク格納部の所定の場所に集約するよう、光ディスクの並べ替えを制御しても良い。廃棄ディスクを記録再生部から遠い位置に配置することで、逆に有効な光ディスクを記録再生部に近い位置に配置可能となり、光ディスクの運搬効率が良くなる。また、図１８に示すように、廃棄ディスクを光ディスク格納部１０８の排出しやすい位置に集約することで、光ディスク格納部１０８から廃棄ディスクを排出する際の効率が良くなる。
【０１０８】
なお、予め廃棄ディスクを格納する領域を光ディスク格納部に確保しておいても良いし、光ディスク格納部のうち、データ記録再生部から遠い位置から順に廃棄ディスクを格納するように並べ替えても良い。
【実施例８】
【０１０９】
次に、廃棄ディスクに対する、セキュリティ面での対処手段について説明する。仮にデータを暗号化して光ディスクに記録し、暗号鍵をサーバあるいは各データライブラリ装置が管理していた場合、光ディスクが廃棄ディスクになった段階で、暗号鍵をシステム内から完全に削除しても良い。あるいは、光ディスクが廃棄ディスクになった段階で、データ記録再生装置１１０、１１１、１１２、１１３のいずれかを用いて、光ディスクにデータを上書きするなど実施し、再生不能にしても良い。これにより、廃棄ディスクを廃棄する際に、廃棄ディスクに記録されたデータの流出事故を防止する事が可能となる。
【０１１０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１１１】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１１２】
１０１…データライブラリ装置、１０２…ＣＰＵ、１０３…サーバ、１０４…ネットワーク、１０５…ハードディスク、１０６…メモリ、１０７…光ディスク運搬部、１０８…光ディスク格納部、１０９…光ディスク、１１０、１１１、１１２、１１３…データ記録再生部
【図１】
2014132508.tif 000003
【図２】
2014132508.tif 000004
【図３】
2014132508.tif 000005
【図４】
2014132508.tif 000006
【図５】
2014132508.tif 000007
【図６】
2014132508.tif 000008
【図７】
2014132508.tif 000009
【図８】
2014132508.tif 000010
【図９】
2014132508.tif 000011
【図１０】
2014132508.tif 000012
【図１１】
2014132508.tif 000013
【図１２】
2014132508.tif 000014
【図１３】
2014132508.tif 000015
【図１４】
2014132508.tif 000016
【図１５】
2014132508.tif 000017
【図１６】
2014132508.tif 000018
【図１７】
2014132508.tif 000019
【図１８】
2014132508.tif 000020